(57)【要約】【課題】隣接する無線基地局に対する干渉の影響を考慮してＣＡ通信を行う。【解決手段】本発明に係る無線基地局ｅＮＢは、ＣＡ通信に用いるＰＣＣ及びＳＣＣを決定するように構成されているＣＡ制御部１２と、あるＳＣＣにおいて、ＴＴＴ以上の間、所定閾値以上の無線品質であるセルを検出した移動局ＵＥから、検出されたセルにおける無線品質を含む「Ｍｅａｓｕｒｅｍｅｎｔ  Ｒｅｐｏｒｔ」を受信するように構成されている受信部１１とを具備しており、無線基地局ｅＮＢが、測定対象ＣＣ内で最も無線品質が良いセルを管理していない場合、ＣＡ制御部１２は、ＣＡ通信において、かかる最も無線品質が良いセルをＳＣＣにおける通信に用いないように構成されている。【選択図】図３
2011244026.tif 000002
【特許請求の範囲】
【請求項１】
移動局との間で、主キャリア及び該主キャリアと搬送波周波数が異なる１つ又は複数の副キャリアを用いた通信を行うことができるように構成されている無線基地局であって、
前記通信に用いる主キャリア及び副キャリアを決定するように構成されている制御部と、
所定期間以上の間、所定閾値以上の無線品質であるセル、又は、主キャリアにおいて通信中であるセルの無線品質から所定値を差し引いた値を上回る無線品質である主キャリア以外のキャリアのセルを検出した前記移動局から、検出された該セルにおける無線品質を含む測定報告を受信するように構成されている受信部とを具備しており、
測定対象キャリア内で最も無線品質が良いセルが、前記無線基地局の配下にない場合、前記制御部は、前記通信において、該最も無線品質が良いセルを副キャリアにおける通信に用いないように構成されていることを特徴とする無線基地局。
【請求項２】
移動局との間で、主キャリア及び該主キャリアと搬送波周波数が異なる１つ又は複数の副キャリアを用いた通信を行うことができるように構成されている無線基地局であって、
前記通信に用いる主キャリア及び副キャリアを決定するように構成されている制御部と、
ある副キャリアにおいて、所定期間以上の間、所定オフセット値以上、通信中のセルよりも無線品質が良いセルを検出した前記移動局から、検出された該セルにおける無線品質を含む測定報告を受信するように構成されている受信部とを具備しており、
測定対象キャリア内で最も無線品質が良いセルが、前記無線基地局の配下にない場合、前記制御部は、前記通信において、前記副キャリアを削除するように構成されていることを特徴とする無線基地局。
【請求項３】
移動局と無線基地局との間で、主キャリア及び該主キャリアと搬送波周波数が異なる１つ又は複数の副キャリアを用いた通信を行う移動通信方法であって、
前記移動局が、所定期間以上の間、所定閾値以上の無線品質であるセル、又は、主キャリアにおいて通信中であるセルの無線品質から所定値を差し引いた値を上回る無線品質である主キャリア以外のキャリアのセルを検出したことを契機として、前記無線基地局に対して、検出した該セルにおける無線品質を含む測定報告を送信する工程と、
測定対象キャリア内で最も無線品質が良いセルが、前記無線基地局の配下にない場合、前記無線基地局が、前記通信において、該最も無線品質が良いセルを副キャリアにおける通信に用いない工程とを有することを特徴とする移動通信方法。
【請求項４】
移動局と無線基地局との間で、主キャリア及び該主キャリアと搬送波周波数が異なる１つ又は複数の副キャリアを用いた通信を行う移動通信方法であって、
前記移動局が、ある副キャリアにおいて、所定期間以上の間、所定オフセット値以上、通信中のセルよりも無線品質が良いセルを検出したことを契機として、前記無線基地局に対して、検出した該セルにおける無線品質を含む測定報告を送信する工程と、
測定対象キャリア内で最も無線品質が良いセルが、前記無線基地局の配下にない場合、前記無線基地局が、前記通信において、前記副キャリアを削除する工程とを有することを特徴とする移動通信方法。
【発明の詳細な説明】
【技術分野】
【０００１】
本発明は、無線基地局及び移動通信方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が行われた。
【０００３】
また、ＬＴＥ方式の後継の通信方式として、ＬＴＥ-Ａｄｖａｎｃｅｄ方式が、３ＧＰＰで検討されている。ＬＴＥ-Ａｄｖａｎｃｅｄ方式の要求条件は、非特許文献１にまとめられている。
【０００４】
ＬＴＥ-Ａｄｖａｎｃｅｄ方式では、その要求条件として、「キャリアアグリゲーション（ＣＡ：Ｃａｒｒｉｅｒ  ａｇｇａｒｅｇａｔｉｏｎ）通信」を行うことが合意されている。
【０００５】
「ＣＡ通信」が行われる場合、移動局ＵＥは、同時に複数のキャリアを用いて下りリンクの信号を受信したり、同時に複数のキャリアを用いて上りリンクの信号を送信したりすることができる。キャリアアグリゲーションが行われる場合の各キャリアは、コンポーネントキャリア（ＣＣ：Ｃｏｍｐｏｎｅｎｔ  Ｃａｒｒｉｅｒ）と呼ばれる。
【０００６】
ところで、複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。
【０００７】
一般的に、移動通信システムでは、移動局ＵＥが、隣接セルに移動し、かかる移動局ＵＥにおいて、隣接セルからの信号の無線品質が、サービングセル（Ｓｅｒｖｉｎｇ  Ｃｅｌｌ）からの信号の無線品質よりも強くなった場合に、当該移動局ＵＥは、隣接セルにハンドオーバを行うように構成されている。
【０００８】
なお、前記信号の無線品質として、例えば、信号の受信電力が用いられる。ここで、前記信号の受信電力は、より具体的には、例えば、隣接セル又はサービングセルから送信される、下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、非特許文献２ＴＳ３６.２１４、Ｖ８.７.０を参照）。
【０００９】
なお、前記信号の無線品質として、前記ＲＳＲＰの代わりに、下りリンクの参照信号の無線品質（ＲＳＲＱ：Ｒｅｆｅｒｅｎｃｅ  Ｓｉｇｎａｌ  Ｒｅｃｅｉｖｅｄ  Ｑｕａｌｉｔｙ）や下りリンクの参照信号のＳＩＲ（ＲＳ-ＳＩＲ）、ＣＱＩ（Ｃｈａｎｎｅｌ  Ｑｕａｌｉｔｙ  Ｉｎｄｉｃａｔｏｒ）、ＣＳＩ（Ｃｈａｎｎｅｌ  Ｓｔａｔｅ  Ｉｎｆｏｒｍａｔｉｏｎ）等が用いられることもある。
【００１０】
図７及び図８を参照して、かかるハンドオーバ手順の一例について、具体的に説明する。以下の説明では、信号の受信電力（ＲＳＲＰ）が、前記信号の無線品質として用いられる。
【００１１】
図７に示すように、ステップＳ１において、移動局ＵＥは、サービングセル及び隣接セルからの信号の受信電力を測定する。また、移動局ＵＥは、検知していない隣接セルを検知するために、前記測定と並行して、セルサーチを行ってもよい。本処理における、セルサーチ、及び、サービングセル及び隣接セルの無線品質（受信電力）の測定は、総称して、メジャメント（Ｍｅａｓｕｒｅｍｅｎｔ）と呼ばれてもよい。
【００１２】
ステップＳ２において、移動局ＵＥは、隣接セルからの信号の受信電力が、以下の（式１）を満たすか否かについて判定する。
【００１３】
隣接セルからの信号の受信電力  ＋  ヒステリシス  ＞  サービングセルからの信号の受信電力  …  （式１）
【００１４】
かかる（式１）が満たされていると判定された場合、ステップＳ２において、移動局ＵＥは、上述の測定結果を報告するための「Ｍｅａｓｕｒｅｍｅｎｔ  Ｒｅｐｏｒｔ（Ｅｖｅｎｔ  Ａ３）」を、ネットワークに対して通知する。
【００１５】
具体的には、移動局ＵＥは、図８に示すように、サービングセル（セルＡ）及び測定対象である隣接セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。
【００１６】
つまり、図８において、所定期間「ＴＴＴ」以上の間、セルＢからの信号の受信電力（無線品質）が、「ヒステリシス」以上、セルＡからの信号の受信電力（無線品質）よりも上回っている状態が継続している場合、移動局ＵＥは、上述の測定結果（Ｍｅａｓｕｒｅｍｅｎｔ  ｒｅｐｏｒｔ）を通知するべきであると判定する。
【００１７】
ここで、「ヒステリシス」は、セル境界でサービングセルから隣接セルへのハンドオーバが頻繁に生じないために設けられる値であり、正の値でもよく、負の値でもよいが、一般的には負の値が設定される。
【００１８】
そして、ステップＳ３において、ネットワークは、イベントＡ３の通知を受信すると、かかる移動局ＵＥが、受信した「Ｍｅａｓｕｒｅｍｅｎｔ  Ｒｅｐｏｒｔ（Ｅｖｅｎｔ  Ａ３）」に係るセルに対してハンドオーバすべきであることを決定する。
【００１９】
なお、（式１）は、以下の（式２）のような形がとられる場合もある。（式２）の場合、ヒステリシス及びオフセットの両方が、ヒステリシス的に動作する。
【００２０】
隣接セルからの信号の受信電力  ―  ヒステリシス  ＞  サービングセルからの信号の受信電力  ＋  オフセット  …  （式２）
【００２１】
ＣＡ通信を行う場合、一般に、移動局ＵＥは、各ＣＣに関して、上述したサービングセル及び隣接セルからの信号の受信電力の測定やＭｅａｓｕｒｅｍｅｎｔ  ｒｅｐｏｒｔの送信を行う。
【先行技術文献】
【非特許文献】
【００２２】
【非特許文献１】３ＧＰＰ  ＴＳ３６.９１３（Ｖ８.０.１）
【非特許文献２】３ＧＰＰ  ＴＳ３６.２１４  Ｖ８.７.０（２００９-０９）
【発明の概要】
【発明が解決しようとする課題】
【００２３】
ここで、図９に示すような構成が用いられているＬＴＥ-Ａｄｖａｎｃｅｄ方式の移動通信システムにおいて、セル＃２１Ｃで用いられている搬送周波数Ｆ１のＣＣをＰＣＣ（Ｐｒｉｍａｒｙ  Ｃｏｍｐｏｎｅｎｔ  Ｃａｒｒｉｅｒ）として用いている移動局ＵＥが、セル＃２２Ｂで用いられている搬送周波数Ｆ２をＳＣＣ（Ｓｅｃｏｎｄａｒｙ  Ｃｏｍｐｏｎｅｎｔ  Ｃａｒｒｉｅｒ）として追加するケースを想定する。
【００２４】
かかるケースにおいて、移動局ＵＥにおけるセル＃２２Ｂの無線品質が、あまり良くない場合には、移動局ＵＥは、無線基地局ｅＮＢ＃２に電波を到達させるために、セル＃２２Ｂにおける送信電力を大きくする必要がある。
【００２５】
或いは、送信電力は固定であるが、移動局ＵＥが通信を行うセル＃２２Ｂよりも大きな受信電力を移動局ＵＥから受信する、同じ搬送波周波数Ｆ２を用いるセル＃３２Ａが存在する場合がある。
【００２６】
したがって、かかる場合には、無線基地局ｅＮＢ＃２に隣接する無線基地局ｅＮＢ＃３に与える干渉が大きくなるという問題点があった。
【００２７】
そこで、本発明は、上述の課題に鑑みてなされたものであり、隣接する無線基地局に対する干渉の影響を考慮してＣＡ通信を行うことができる無線基地局及び移動通信方法を提供することを目的とする。
【課題を解決するための手段】
【００２８】
本発明の第１の特徴は、移動局との間で、主キャリア及び該主キャリアと搬送波周波数が異なる１つ又は複数の副キャリアを用いた通信を行うことができるように構成されている無線基地局であって、前記通信に用いる主キャリア及び副キャリアを決定するように構成されている制御部と、所定期間以上の間、所定閾値以上の無線品質であるセル、又は、主キャリアにおいて通信中であるセルの無線品質から所定値を差し引いた値を上回る無線品質である主キャリア以外のキャリアのセルを検出した前記移動局から、検出された該セルにおける無線品質を含む測定報告を受信するように構成されている受信部とを具備しており、測定対象キャリア内で最も無線品質が良いセルが、かかる無線基地局配下にない場合、前記制御部は、前記通信において、前記最も無線品質が良いセルを副キャリアにおける通信に用いないように構成されていることを要旨とする。
【００２９】
本発明の第２の特徴は、移動局との間で、主キャリア及び該主キャリアと搬送波周波数が異なる１つ又は複数の副キャリアを用いた通信を行うことができるように構成されている無線基地局であって、前記通信に用いる主キャリア及び副キャリアを決定するように構成されている制御部と、ある副キャリアにおいて、所定期間以上の間、所定オフセット値以上、通信中のセルよりも無線品質が良いセルを検出した前記移動局から、検出された該セルにおける無線品質を含む測定報告を受信するように構成されている受信部とを具備しており、測定対象キャリア内で最も無線品質が良いセルが、前記無線基地局配下にない場合、前記制御部は、前記通信において、前記副キャリアを削除するように構成されていることを要旨とする。
【００３０】
本発明の第３の特徴は、移動局と無線基地局との間で、主キャリア及び該主キャリアと搬送波周波数が異なる１つ又は複数の副キャリアを用いた通信を行う移動通信方法であって、前記移動局が、所定期間以上の間、所定閾値以上の無線品質であるセル、又は、主キャリアにおいて通信中であるセルの無線品質から所定値を差し引いた値を上回る無線品質である主キャリア以外のキャリアのセルを検出したことを契機として、前記無線基地局に対して、検出した該セルにおける無線品質を含む測定報告を送信する工程と、測定対象キャリア内で最も無線品質が良いセルが、前記無線基地局配下にない場合、前記無線基地局が、前記通信において、該最も無線品質が良いセルを副キャリアにおける通信に用いない工程とを有することを要旨とする。
【００３１】
本発明の第４の特徴は、移動局と無線基地局との間で、主キャリア及び該主キャリアと搬送波周波数が異なる１つ又は複数の副キャリアを用いた通信を行う移動通信方法であって、前記移動局が、ある副キャリアにおいて、所定期間以上の間、所定オフセット値以上、通信中のセルよりも無線品質が良いセルを検出したことを契機として、前記無線基地局に対して、検出した該セルにおける無線品質を含む測定報告を送信する工程と、測定対象キャリア内で最も無線品質が良いセルが、前記無線基地局にない場合、前記無線基地局が、前記通信において、前記副キャリアを削除する工程とを有することを要旨とする。
【発明の効果】
【００３２】
以上説明したように、本発明によれば、隣接する無線基地局に対する干渉の影響を考慮してＣＡ通信を行うことができる無線基地局及び移動通信方法を提供することができる。
【図面の簡単な説明】
【００３３】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を示すシーケンス図である。
【図４】本発明の第１の実施形態に係る移動通信システムの動作を説明するための図である。
【図５】本発明の第１の実施形態に係る移動通信システムの動作を示すシーケンス図である。
【図６】本発明の第１の実施形態に係る移動通信システムの動作を説明するための図である。
【図７】従来の移動通信システムについて説明するための図である。
【図８】従来の移動通信システムについて説明するための図である。
【図９】従来の移動通信システムについて説明するための図である。
【発明を実施するための形態】
【００３４】
（本発明の第１の実施形態に係る移動通信システム）
図１乃至図６を参照して、本発明の第１の実施形態に係る移動通信システムについて説明する。
【００３５】
本実施形態に係る移動通信システムは、ＬＴＥ-Ａｄｖａｎｃｅｄ方式の移動通信システムであって、図１に示すように、無線基地局ｅＮＢ＃１、無線基地局ｅＮＢ＃２及び無線基地局ｅＮＢ＃３を具備している。
【００３６】
図１に示すように、無線基地局ｅＮＢ＃１配下には、セル＃１１Ａとセル＃１１Ｂとセル＃１１Ｃとセル＃１２Ａとセル＃１２Ｂとセル＃１２Ｃとが配置されており、無線基地局ｅＮＢ＃２配下には、セル＃２１Ａとセル＃２１Ｂとセル＃２１Ｃとセル＃２２Ａとセル＃２２Ｂとセル＃２２Ｃとが配置されており、無線基地局ｅＮＢ＃３配下には、セル＃３１Ａとセル＃３１Ｂとセル＃３１Ｃとセル＃３２Ａとセル＃３２Ｂとセル＃３２Ｃとが配置されている。
【００３７】
ここで、セル＃１１Ａ、セル＃１１Ｂ、セル＃１１Ｃ、セル＃２１Ａ、セル＃２１Ｂ、セル＃２１Ｃ、セル＃３１Ａ、セル＃３１Ｂ及びセル＃３１Ｃには、それぞれ、搬送周波数Ｆ１が用いられている。
【００３８】
同様に、セル＃１２Ａ、セル＃１２Ｂ、セル＃１２Ｃ、セル＃２２Ａ、セル＃２２Ｂ、セル＃２２Ｃ、セル＃３２Ａ、セル＃３２Ｂ及びセル＃３２Ｃには、それぞれ、搬送周波数Ｆ２が用いられている。
【００３９】
かかる移動通信システムでは、移動局ＵＥと無線基地局ｅＮＢ＃１乃至ｅＮＢ＃３との間で、主キャリア（ＰＣＣ）を用いて形成するセル及びＰＣＣと搬送周波数が異なる１つ又は複数の副キャリア（ＳＣＣ）を用いて形成するセルを用いたＣＡ通信を行うことができるように構成されている。
【００４０】
例えば、移動局ＵＥは、例えば、８００ＭＨｚ帯のＣＣ（５ＭＨｚ）と２ＧＨｚ帯のＣＣ（５ＭＨｚ）とを用いて、ＣＡ通信を行うことができるように構成されている。
【００４１】
なお、無線基地局ｅＮＢ＃１乃至ｅＮＢ＃３の機能は、基本的に同一であるため、以下、特段の断りがない場合には、無線基地局ｅＮＢ＃１乃至ｅＮＢ＃３をまとめて無線基地局ｅＮＢと表記することとする。
【００４２】
また、移動局ＵＥは、ＣＡ通信を行う場合、１つの無線基地局ｅＮＢ配下のＣＣしか用いることができない。
【００４３】
なお、ＣＡ通信では、無線基地局ｅＮＢが、各移動局ＵＥにおいてＰＣＣ及びＳＣＣとして用いるべきＣＣを指定するように構成されている。
【００４４】
また、移動局ＵＥは、定期的に、無線基地局ｅＮＢによって送信された「Ｍｅａｓｕｒｅｍｅｎｔ  Ｃｏｎｆｉｇｕｒａｔｉｏｎ」に含まれる「Ｍｅａｓｕｒｅｍｅｎｔ  Ｏｂｊｅｃｔ」によって指定されている測定対象ＣＣにおける各セルの無線品質を測定するように構成されている。
【００４５】
そして、移動局ＵＥは、無線基地局ｅＮＢによって送信された「Ｍｅａｓｕｒｅｍｅｎｔ  Ｃｏｎｆｉｇｕｒａｔｉｏｎ」に含まれる「Ｒｅｐｏｒｔｉｎｇ  Ｃｏｎｆｉｇｕｒａｔｉｏｎ」によって指定されている報告条件（例えば、３ＧＰＰで規定されているＥｖｅｎｔ  Ａ１〜Ｅｖｅｎｔ  Ａ５）が満たされた場合に、無線基地局ｅＮＢに対して、上述の測定結果（測定対象ＣＣ内のセルのうち、上述の報告条件が満たされたセルのＩＤ、及び、かかるセルにおける無線品質）を含む「Ｍｅａｓｕｒｍｅｎｔ  Ｒｅｐｏｒｔ」を送信するように構成されている。
【００４６】
図２に示すように、無線基地局ｅＮＢは、受信部１１と、ＣＡ制御部１２と、送信部１３とを具備している。
【００４７】
受信部１１は、各移動局ＵＥによって送信された信号を受信するように構成されている。例えば、移動局ＵＥから、上述の「Ｍｅａｓｕｒｅｍｅｎｔ  Ｒｅｐｏｒｔ」を受信するように構成されている。
【００４８】
ＣＡ制御部１２は、各移動局ＵＥにおけるＣＡ通信に用いるＰＣＣ及びＳＣＣを決定するように構成されている。
【００４９】
例えば、受信された「Ｍｅａｓｕｒｍｅｎｔ  Ｒｅｐｏｒｔ」に含まれている測定対象ＣＣ内で最も無線品質が良いセルが、かかる無線基地局ｅＮＢ配下にない場合、かつ、かかるセルで用いられているＣＣが、現在、ＳＣＣとして、ＣＡ通信で用いられていない場合、ＣＡ制御部１２は、かかるセルをＳＣＣにおける通信に用いないように構成されている。
【００５０】
また、受信した「Ｍｅａｓｕｒｍｅｎｔ  Ｒｅｐｏｒｔ」に含まれている測定対象ＣＣ内で最も無線品質が良いセルが、かかる無線基地局ｅＮＢ配下にない場合、かつ、かかるセルで用いられているＣＣが、現在、ＳＣＣとして、ＣＡ通信で用いられている場合、ＣＡ制御部１２は、かかるＣＣをＳＣＣから削除するように構成されている。
【００５１】
送信部１３は、各移動局ＵＥに対して、信号を送信するように構成されている。例えば、送信部１３は、各移動局ＵＥに対して、ＣＡ通信において用いるべきＰＣＣ又はＳＣＣの変更やＳＣＣの追加やＳＣＣの削除を指示する「ＲＲＣ  Ｒｅｃｏｎｆｉｇｕｒａｔｉｏｎ」を送信するように構成されている。
【００５２】
以下、図３乃至図６を参照して、本発明の第１の実施形態に係る移動通信システムの動作について説明する。ここで、移動局ＵＥは、図１に示すように、無線基地局ｅＮＢ＃２配下のセル＃２１Ｂにおいて通信を行っているものとする。
【００５３】
第１に、図３及び図４を参照して、本発明の第１の実施形態に係る移動通信システムの第１の動作について説明する。
【００５４】
移動局ＵＥは、測定対象ＣＣの各セルにおける測定を行い、ステップＳ１００１において、図４に示すように、ＴＴＴ（Ｔｉｍｅ  Ｔｏ Ｔｒｉｇｇｅｒ）以上の間、所定閾値以上の無線品質であるセル、又は、ＰＣＣにおいて通信中であるセル（サービングセル）の無線品質から所定値を差し引いた値を上回る無線品質であるＰＣＣ以外のＣＣのセルを検出すると、ステップＳ１００２において、無線基地局ｅＮＢ＃２に対して、かかるセルのＩＤ及び無線品質を含む「Ｍｅａｓｕｒｅｍｅｎｔ  Ｒｅｐｏｒｔ」を送信する。ここで、所定値は、正の値でも負の値でも良い．
ステップＳ１００３において、無線基地局ｅＮＢ＃２は、受信した「Ｍｅａｓｕｒｅｍｅｎｔ  Ｒｅｐｏｒｔ」に含まれる測定対象ＣＣ内で最も無線品質が良いセルをＣＡ通信のＳＣＣとして追加すべきか否かについて判定する。
【００５５】
ここで、かかる最も無線品質が良いセルが、無線基地局ｅＮＢ＃２配下にある場合、無線基地局ｅＮＢ＃２は、かかる最も無線品質が良いセルをＳＣＣにおける通信に用いるべきであると判定して、ステップＳ１００４において、移動局ＵＥに対して、その旨を示す「ＲＲＣ  Ｒｅｃｏｎｆｉｇｕｒａｔｉｏｎ」を送信する。
【００５６】
一方、かかる最も無線品質が良いセルが、無線基地局ｅＮＢ＃２配下にない場合、無線基地局ｅＮＢ＃２は、かかる最も無線品質が良いセルをＳＣＣにおける通信に用いるべきでないと判定する。
【００５７】
ＬＴＥ-Ａｄｖａｎｃｅｄ方式において、異なる無線基地局ｅＮＢ配下のＣＣを用いてＣＡ通信を行うことができないことを、その理由とする。
【００５８】
第２に、図５及び図６を参照して、本発明の第１の実施形態に係る移動通信システムの第２の動作について説明する。
【００５９】
移動局ＵＥは、ＳＣＣの各セルにおいて測定を行い、ステップＳ２００１において、図６に示すように、あるＳＣＣにおいて、ＴＴＴ以上の間、所定オフセット値（Ｏｆｆｓｅｔ）以上、通信中のセルよりも無線品質が良いセルを検出すると、ステップＳ２００２において、無線基地局ｅＮＢ＃２に対して、検出したセルのＩＤ及び無線品質を含む「Ｍｅａｓｕｒｅｍｅｎｔ  Ｒｅｐｏｒｔ」を送信する。
【００６０】
ステップＳ２００３において、無線基地局ｅＮＢ＃２は、受信した「Ｍｅａｓｕｒｅｍｅｎｔ  Ｒｅｐｏｒｔ」に基づいて、上述のＳＣＣを削除すべきか否かについて判定する。
【００６１】
ここで、受信した「Ｍｅａｓｕｒｅｍｅｎｔ  Ｒｅｐｏｒｔ」に含まれる該当ＳＣＣ内で最も無線品質が良いセルが、無線基地局ｅＮＢ＃２配下にある場合、無線基地局ｅＮＢ＃２は、上述の通信中のセルを、かかる最も無線品質が良いセルに切り替えるべきであると判定して、ステップＳ２００４において、移動局ＵＥに対して、その旨を示す「ＲＲＣ  Ｒｅｃｏｎｆｉｇｕｒａｔｉｏｎ」を送信する。
【００６２】
一方、かかる最も無線品質が良いセルが、無線基地局ｅＮＢ＃２配下にない場合、無線基地局ｅＮＢ＃２は、かかるＳＣＣを削除すべきであると判定して、ステップＳ２００４において、移動局ＵＥに対して、その旨を示す「ＲＲＣ  Ｒｅｃｏｎｆｉｇｕｒａｔｉｏｎ」を送信する。
【００６３】
本発明の第１の実施形態に係る移動通信システムによれば、無線基地局ｅＮＢが、移動局ＵＥによって測定された測定対象ＣＣにおける無線品質に応じて、ＳＣＣで通信するセルの変更、追加及び削除を決定するため、隣接する無線基地局ｅＮＢに対する干渉の影響を抑えつつ、ＣＡ通信を実現することができる。
【００６４】
以上に述べた本実施形態の特徴は、以下のように表現されていてもよい。
【００６５】
本実施形態の第１の特徴は、移動局ＵＥとの間で、ＰＣＣ（主キャリア）及びＰＣＣと搬送周波数が異なる１つ又は複数のＳＣＣ（副キャリア）を用いたＣＡ通信を行うことができるように構成されている無線基地局ｅＮＢであって、ＣＡ通信に用いるＰＣＣ及びＳＣＣを決定するように構成されているＣＡ制御部１２と、ＴＴＴ（所定期間）以上の間、所定閾値以上の無線品質であるセル、又は、ＰＣＣにおいて通信中であるセル（サービングセル）の無線品質から所定値を差し引いた値を上回る無線品質であるＰＣＣ以外のキャリアのセルを検出した移動局ＵＥから、検出されたセルにおける無線品質（及び、当該セルのＩＤ）を含む「Ｍｅａｓｕｒｅｍｅｎｔ  Ｒｅｐｏｒｔ（測定報告）」を受信するように構成されている受信部１１とを具備しており、測定対象ＣＣ内で最も無線品質が良いセルが、かかる無線基地局ｅＮＢ配下にない場合、ＣＡ制御部１２は、ＣＡ通信において、かかる最も無線品質が良いセルをＳＣＣにおける通信に用いないように構成されていることを要旨とする。
【００６６】
本実施形態の第２の特徴は、移動局ＵＥとの間で、ＰＣＣ及び１つ又は複数のＳＣＣを用いたＣＡ通信を行うことができるように構成されている無線基地局ｅＮＢであって、ＣＡ通信に用いるＰＣＣ及びＳＣＣを決定するように構成されているＣＡ制御部１２と、あるＳＣＣにおいて、ＴＴＴ以上の間、所定オフセット値以上、通信中のセル（サービングセル）よりも無線品質が良いセルを検出した移動局ＵＥから、検出されたセルにおける無線品質（及び、当該セルのＩＤ）を含む「Ｍｅａｓｕｒｅｍｅｎｔ  Ｒｅｐｏｒｔ」を受信するように構成されている受信部１１とを具備しており、測定対象ＣＣ内で最も無線品質が良いセルが、かかる無線基地局ｅＮＢ配下にない場合、ＣＡ制御部１２は、ＣＡ通信において、上述のＳＣＣを削除するように構成されていることを要旨とする。
【００６７】
本実施形態の第３の特徴は、移動局ＵＥと無線基地局ｅＮＢとの間で、ＰＣＣ及び１つ又は複数のＳＣＣを用いたＣＡ通信を行う移動通信方法であって、移動局ＵＥが、ＴＴＴ以上の間、所定閾値以上の無線品質であるセル、又は、ＰＣＣにおいて通信中であるセル（サービングセル）の無線品質から所定値を差し引いた値を上回る無線品質であるＰＣＣ以外のキャリアのセルを検出したことを契機として、無線基地局ｅＮＢに対して、検出したセルにおける無線品質（及び、当該セルのＩＤ）を含む「Ｍｅａｓｕｒｅｍｅｎｔ  Ｒｅｐｏｒｔ」を送信する工程と、測定対象ＣＣ内で最も無線品質が良いセルが、かかる無線基地局ｅＮＢ配下にない場合、無線基地局ｅＮＢが、ＣＡ通信において、かかる最も無線品質が良いセルをＳＣＣにおける通信に用いない工程とを有することを特徴とする。
【００６８】
本実施形態の第４の特徴は、移動局ＵＥと無線基地局ｅＮＢとの間で、ＰＣＣ及び１つ又は複数のＳＣＣを用いたＣＡ通信を行う移動通信方法であって、移動局ＵＥが、あるＳＣＣにおいて、ＴＴＴ以上の間、所定オフセット値以上、通信中のセルよりも無線品質が良いセルを検出したことを契機として、無線基地局ｅＮＢに対して、検出したセルにおける無線品質（及び、当該セルのＩＤ）を含む「Ｍｅａｓｕｒｅｍｅｎｔ  Ｒｅｐｏｒｔ」を送信する工程と、測定対象ＣＣ内で最も無線品質が良いセルが、かかる無線基地局ｅＮＢ配下にない場合、無線基地局ｅＮＢが、ＣＡ通信において、かかるＳＣＣを削除する工程とを有することを要旨とする。
【００６９】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７３】
ＵＥ…移動局
ｅＮＢ…無線基地局
１１…受信部
１２…ＣＡ制御部
１３…送信部
【図１】
2011244026.tif 000003
【図２】
2011244026.tif 000004
【図３】
2011244026.tif 000005
【図４】
2011244026.tif 000006
【図５】
2011244026.tif 000007
【図６】
2011244026.tif 000008
【図７】
2011244026.tif 000009
【図８】
2011244026.tif 000010
【図９】
2011244026.tif 000011